(57)【特許請求の範囲】
【請求項１】
施工面に固定されるボディに弧状に開口された一対の引掛栓刃挿入口を有する引掛シーリングの引掛栓刃挿入口に引掛栓刃を挿入した後に器体を回転させて引掛シーリングに取り付けられる接続器であり、引掛栓刃挿入口に挿入される一対の上記引掛栓刃が突設された器体と、器体を上記ボディに取り付けた状態で器体に設けられたロック解除釦の操作に連動して一方の引掛栓刃挿入口から進退するロック爪とを備え、器体の上記ボディとの対向面の中央部に、内周壁が引掛シーリングのボディにおいて器体との対向面の中央部から突設されたセンタずれ防止用のリブを係止する略円形の凹部を有するリング状突部が形成されてなり、器体の上記対向面にリング状突部から周部に向かって延長された一対の平行な線状突部が形成され、該線状突部の延長線と平行に上記ロック爪および一方の引掛栓刃が上記リング状突部を介して対向配置されてなり、上記リング状突部から延長したロック爪側の上記線状突部と上記リング状突部との間に介在する突部を有することを特徴とする接続器。
【発明の詳細な説明】
【０００１】
【発明の属する技術分野】
本発明は、引掛シーリングに接続可能な引掛栓刃を有する接続器に関するものである。
【０００２】
【従来の技術】
従来より、天井面などの施工面に取り付けた引掛シーリングと照明器具との接続に用いられる接続器が提供されている。この種の接続器２’は、例えば図５に示すような先端部がＬ字状である一対の引掛栓刃２９を有しており、引掛シーリング１に機械的および電気的に結合される。ここに、照明器具（図示せず）と引掛シーリング１との電気的な接続は、接続器２’に設けた接続線（図示せず）を介して行われる。
【０００３】
引掛シーリング１は、上面が開口した有底円筒状のボディ１１を備えており、施工面としての天井面にボディ１１の上面を当接させた形で挿通孔１５を通して天井面に螺入する固定ねじ（図示せず）を用いて固定される。
【０００４】
引掛シーリング１のボディ１１の底壁の周部には引掛栓刃２９が挿入される一対の引掛栓刃挿入口１９が開口されている。ここにおいて、両引掛栓刃挿入口１９はボディ１１の底壁の中心を中心とする一つの円弧上に形成され、それぞれ弧状に形成されている。
【０００５】
一方、接続器２’は、上面が開口した直方体状のボディ２１’を備えており、引掛シーリング１に取り付けるには、先端部がＬ字状である引掛栓刃２９を引掛栓刃挿入口１９の幅広部１９ａから引掛栓刃挿入口１９に挿入した後にボディ２１’を右回りに回転させ、引掛栓刃２９の先端部を引掛栓刃挿入口１９の幅狭部１９ｂの周縁に重複させることにより、引掛栓刃２９の先端部を引掛シーリング１のボディ１１内に設けられた引掛刃受部（図示せず）に保持させるようになっている。
【０００６】
また、接続器２’は、該接続器２’を引掛シーリング１に取り付けた状態で該接続器２’のボディ２１’に設けられたロック解除釦２５の操作に連動して一方の引掛栓刃挿入口１９の幅広部１９ａから進退するロック爪２４を備えている。ここにおいて、ロック爪２４は、ロック解除釦２５が押された時に幅広部１９ａから退出するようになっている。
【０００７】
ところで、引掛シーリング１のボディ１１の底壁の中央部には、引掛シーリングと接続器２’とのセンタずれ防止用の一対のリブ１６が底壁の中心を通る一つの直線上で突設されており、接続器２’は、該接続器２’のボディ２１’の長手方向に平行な周壁よりなる一対のガイド用リブ２１ｃの内面に上記リブ１６の端部を係止するようになっている。なお、上記リブ１６は、ボディ１１の底壁の中央部に突設された円板状の突出部に、中心から離れるほど底壁からの突出量が小さくなるような傾斜面を有する切欠部を設けることにより形成されており、中心から離れた側の端部の外周形状は弧状に形成されている。
【０００８】
ところで、引掛シーリング１と接続器２’との結合状態が不完全であると照明器具の落下によるけがの原因となるおそれがあるので、安全性を確保するために、引掛シーリング１に接続器２’を取り付けた後には、ロック解除釦２５を押さずに接続器２’のボディ２１’を取り付け時と逆方向（左回り）に回して、接続器２’が外れないことを確認する確認作業が必要である。
【０００９】
【発明が解決しようとする課題】
しかしながら、上記従来構成の接続器２’では、ロック解除釦２５を押さずに接続器２’のボディ２１を取り付け時と逆方向に回した時に、引掛栓刃挿入口１９の周方向における幅広部１９ａの開口内周縁にロック爪２４が当接することによりロック爪２４の移動が規制され、ロック爪２４が幅広部１９ａの開口内周縁に当接した後はロック爪２４を回転中心として接続器２’のボディ２１’が回転し、上記センタずれ防止用のリブ１６が接続器２’のボディ２１’の上記周壁２１ｃの上面に乗り上げてしまうという不具合があった。要するに、上記確認作業によって接続器２’と引掛シーリング１とのセンタがずれてしまうという不具合があった。
【００１０】
本発明は上記事由に鑑みて為されたものであり、その目的は、引掛シーリングとのセンタずれをより確実に防止することができる接続器を提供することにある。
【００１１】
【課題を解決するための手段】
請求項１の発明は、上記目的を達成するために、施工面に固定されるボディに弧状に開口された一対の引掛栓刃挿入口を有する引掛シーリングの引掛栓刃挿入口に引掛栓刃を挿入した後に器体を回転させて引掛シーリングに取り付けられる接続器であり、引掛栓刃挿入口に挿入される一対の上記引掛栓刃が突設された器体と、器体を上記ボディに取り付けた状態で器体に設けられたロック解除釦の操作に連動して一方の引掛栓刃挿入口から進退するロック爪とを備え、器体の上記ボディとの対向面の中央部に、内周壁が引掛シーリングのボディにおいて器体との対向面の中央部から突設されたセンタずれ防止用のリブを係止する略円形の凹部を有するリング状突部が形成されてなり、器体の上記対向面にリング状突部から周部に向かって延長された一対の平行な線状突部が形成され、該線状突部の延長線と平行に上記ロック爪および一方の引掛栓刃が上記リング状突部を介して対向配置されてなり、上記リング状突部から延長したロック爪側の上記線状突部と上記リング状突部との間に介在する突部を有することを特徴とするものであり、上記略円形の凹部を有するリング状突部が形成されてなり、器体の上記対向面にリング状突部から周部に向かって延長された一対の平行な線状突部が形成され、該線状突部の延長線と平行に上記ロック爪および一方の引掛栓刃が上記リング状突部を介して対向配置されてなり、上記リング状突部から延長したロック爪側の上記線状突部と上記リング状突部との間に介在する突部を有することにより、ロック解除釦を押さずに接続器の器体を取り付け時と逆方向に回した時に、引掛栓刃挿入口の周方向における開口内周縁にロック爪が当接することによりロック爪の移動が規制されても、上記リブは上記凹部の内周壁に沿って案内されるので、上記リブが上記凹部の開口周縁に乗り上げることがなく、引掛シーリングとのセンタずれが発生するのをより確実に防止することができる。また、器体を引掛シーリングに取り付ける場合も、引掛シーリングの引掛栓刃挿入口に引掛栓刃を挿入した後に器体を回転させる際に上記リブが上記凹部の内周壁に沿って案内されるので、器体の回転の中心軸が安定し、引掛シーリングへの器体の取り付けが容易になる。
【００１２】
【発明の実施の形態】
本実施形態の接続器２は、図４に示すように天井などの施工面に取り付けた引掛シーリング１と照明器具３との接続に用いられるものであって、図１ないし図３に示すように、図５に示した従来構成と同様、器体２０の上面から先端部がＬ字状である一対の引掛栓刃２９が突出しており、引掛シーリング１に機械的および電気的に接続される。ここに、照明器具３と引掛シーリング１との電気的な接続は、接続器２に設けた接続線７（図４参照）を介して行われる。
【００１３】
なお、引掛シーリング１の構成は図５に示した従来構成と同じなので、同一の構成要素に同じ符号を付して説明を省略する。
【００１４】
接続器２の器体２０は、上面が開口した円筒状のボディ２１と、ボディ２１の開口を塞ぐ円板状のカバー２２とを結合して構成されており、カバー２２の上面から上記一対の引掛栓刃２９および一つのロック爪２４が突出している。ここにおいて、引掛栓刃２９はカバー２２の周部においてカバー２２の中心を通る一つの直線上にカバー２２の中心を挟む位置で上方へ突出している。また、ロック爪２４は、カバー２２の上面において、一方の引掛栓刃２９の突出位置からカバー２２の周方向に沿ってずれた位置から突出しており、器体２０を引掛シーリング１のボディ１１に取り付けた状態で当該一方の引掛栓刃２９が挿入される引掛栓刃挿入口１９の幅広部１９ａに入り込むようになっている。
【００１５】
ここにおいて、ロック爪２４は、ボディ２１の底壁から連続一体に突設された円筒状の筒状部２１ｂの側方に設けられたロック解除釦２５の操作に連動してカバー２２の上面から進退するようになっており、器体２０を引掛シーリング１のボディ１１に取り付けた状態では、ロック解除釦２５を押圧操作することにより、ロック爪２４が引掛栓刃挿入口１９の幅広部１９ａから退出し、押圧操作をやめるとロック爪２４が引掛栓刃挿入口１９の幅広部１９ａからボディ１１内へ進出するようになっている。また、ロック爪２４は、上方からの押圧力によってカバー２２の上面からの突出量が小さくなるように下方へ移動し、該押圧力が解除されると元の位置に戻るようになっている。
【００１６】
接続器２を引掛シーリング１に取り付けるには、先端部がＬ字状である引掛栓刃２９を引掛栓刃挿入口１９の幅広部１９ａから引掛栓刃挿入口１９に挿入するとともにロック爪２４の先端を引掛シーリング１のボディ１１に押し付けた後に器体２０を右回り（図１中の矢印Ｂの向き）に回転させ、引掛栓刃２９の先端部を引掛栓刃挿入口１９の幅狭部１９ｂの周縁に重複させることにより、引掛栓刃２９の先端部を引掛シーリング１のボディ１１内に設けられた引掛刃受部（図示せず）に保持させるようになっている。なお、ロック爪２４は、この回転の途中でボディ１１による押圧力が解除されて先端部が引掛栓刃挿入口１９の幅広部１９ａに入り込むようになっている。
【００１７】
ところで、接続器２のカバー２２には、該カバー２２の上面の中央部に開口する凹部であって引掛シーリング１の底壁の中央部から突設されたセンタずれ防止用のリブ１６を内周壁に係止する凹部２３を有し、該凹部２３の開口形状が、略円形に形成されている。
【００１８】
しかして、本実施形態の接続器２では、ロック解除釦２５を押さずに接続器２の器体２０を取り付け時と逆方向（図１の矢印Ｂの向きと反対の向き）に回した時に、引掛栓刃挿入口１９の周方向における幅広部１９ａの開口内周縁にロック爪２４が当接することによりロック爪２４の移動が規制されても、上記凹部２３の開口形状が略円形に形成されていることにより、上記リブ１６は上記凹部２３の内周壁に沿って案内されるので、上記リブ１６が上記凹部２３の開口周縁に乗り上げることがなく、引掛シーリング１とのセンタずれが発生するのをより確実に防止することができる。また、器体２０を引掛シーリング１に取り付ける場合も、引掛シーリング１のボディ１１の引掛栓刃挿入口１９の幅広部１９ａに引掛栓刃２９を挿入した後に器体２０を回転させる際に上記リブ１６が上記凹部２３の内周壁に沿って案内されるので、器体２０の回転の中心軸が安定し、引掛シーリング１への器体２０の取り付けが容易になる
なお、本実施形態の接続器２は、ボデイ２１から連続一体に突設された筒状部２１ｂの下端部に円筒状のランプソケット６が結合されており、例えば図４に示すような照明器具３の器具本体３０に取り付けられ、ランプソケット６に電球７が接続されるようになっている。ここにおいて、接続器２のボディ２１の周壁外周面の上端部には鍔状片２１ａが略全周に亙って突設されており、器体２０を器具本体３０の上方から器具本体３０に穿孔された接続器挿入孔（図示せず）に挿入し、鍔状片２１ａの下面を器具本体３０の上面に係止させた状態で器具本体３０に固定されるようになっている。また、器具本体３０にはセード６０が着脱自在に取着される。ところで、この照明器具３は、電球７０の点灯回路（図示せず）と検知エリア内の人の存否を検知する人感センサ（図示せず）とを備えており、人感センサによる検知出力が得られなくなってから所定時間（例えば３０秒）後に電球７０を消灯させるようになっている。このため、器具本体３０は、点灯回路の回路構成部品が実装されたプリント板（図示せず）や上記人感センサが実装されたプリント板（図示せず）などを収納する有底筒状の回路ブロック収納部３１を連続一体に備えており、回路ブロック収納部３１の底壁からは回路ブロック収納部３１の下部に位置する上記人感センサの受光レンズ８が配設されている。
【００１９】
【発明の効果】
請求項１の発明は、施工面に固定されるボディに弧状に開口された一対の引掛栓刃挿入口を有する引掛シーリングの引掛栓刃挿入口に引掛栓刃を挿入した後に器体を回転させて引掛シーリングに取り付けられる接続器であり、引掛栓刃挿入口に挿入される一対の上記引掛栓刃が突設された器体と、器体を上記ボディに取り付けた状態で器体に設けられたロック解除釦の操作に連動して一方の引掛栓刃挿入口から進退するロック爪とを備え、器体の上記ボディとの対向面の中央部に、内周壁が引掛シーリングのボディにおいて器体との対向面の中央部から突設されたセンタずれ防止用のリブを係止する略円形の凹部を有するリング状突部が形成されてなり、器体の上記対向面にリング状突部から周部に向かって延長された一対の平行な線状突部が形成され、該線状突部の延長線と平行に上記ロック爪および一方の引掛栓刃が上記リング状突部を介して対向配置されてなり、上記リング状突部から延長したロック爪側の上記線状突部と上記リング状突部との間に介在する突部を有するものであり、上記略円形の凹部を有するリング状突部が形成されてなり、器体の上記対向面にリング状突部から周部に向かって延長された一対の平行な線状突部が形成され、該線状突部の延長線と平行に上記ロック爪および一方の引掛栓刃が上記リング状突部を介して対向配置されてなり、上記リング状突部から延長したロック爪側の上記線状突部と上記リング状突部との間に介在する突部を有することにより、ロック解除釦を押さずに接続器の器体を取り付け時と逆方向に回した時に、引掛栓刃挿入口の周方向における開口内周縁にロック爪が当接することによりロック爪の移動が規制されても、上記リブは上記凹部の内周壁に沿って案内されるので、上記リブが上記凹部の開口周縁に乗り上げることがなく、引掛シーリングとのセンタずれが発生するのをより確実に防止することができるという効果がある。また、器体を引掛シーリングに取り付ける場合も、引掛シーリングの引掛栓刃挿入口に引掛栓刃を挿入した後に器体を回転させる際に上記リブが上記凹部の内周壁に沿って案内されるので、器体の回転の中心軸が安定し、引掛シーリングへの器体の取り付けが容易になるという効果がある。
【図面の簡単な説明】
【図１】実施形態を示す斜視図である。
【図２】同上を示し、（ａ）は平面図、（ｂ）は（ａ）のＡ−Ａ’断面図である。
【図３】同上を示し、引掛シーリングのボディに器体を取り付けた状態の断面図である。
【図４】同上を利用した照明器具の説明図である。
【図５】従来例を示す斜視図である。
【符号の説明】
１  引掛シーリング
２  接続器
１１  ボディ
１６  リブ
１９  引掛栓刃挿入口
１９ａ  幅広部
２０  器体
２１  ボディ
２２  カバー
２３  凹部
２４  ロック爪
２５  ロック解除釦
２９  引掛栓刃
【図１】
0004372895.tif 000002
【図２】
0004372895.tif 000003
【図３】
0004372895.tif 000004
【図４】
0004372895.tif 000005
【図５】
0004372895.tif 000006